【手続補正書】
【提出日】平成16年4月28日(2004.4.28)
【手続補正１】
【補正対象書類名】明細書
【補正対象項目名】発明の名称
【補正方法】変更
【補正の内容】
【発明の名称】情報提供システム、情報提供装置および情報提供方法、記録媒体、並びにプログラム
【手続補正２】
【補正対象書類名】明細書
【補正対象項目名】特許請求の範囲
【補正方法】変更
【補正の内容】
【特許請求の範囲】
【請求項１】
複数の電気機器を接続し、前記電気機器間でキャラクタデータを送受信する情報提供システムであって、
前記各電気機器は、
前記キャラクタデータを処理するキャラクタシステムと、
キャラクタを利用してユーザに対して表現を示すための表現手段と、
前記電気機器間を接続する接続手段と
を備え、
前記キャラクタデータは前記接続手段を利用して前記電気機器間を移動するように送受信され、
前記キャラクタシステムは、前記キャラクタに所定表現を与えるためのキャラクタ表現用データに基づいて処理を行い、
前記表現手段により前記ユーザに対して前記キャラクタから情報を提供する
ことを特徴とする情報提供システム。
【請求項２】
複数の電気機器を接続し、前記電気機器間でキャラクタデータを送受信する情報提供システムの情報提供方法であって、
前記各電気機器は、
前記キャラクタデータを処理するキャラクタシステムと、
キャラクタを利用してユーザに対して表現を示すための表現ステップと、
前記電気機器間の接続を制御する接続制御ステップと
を含み、
前記キャラクタデータは前記接続制御ステップを利用して前記電気機器間を移動するように送受信され、
前記キャラクタシステムは、前記キャラクタに所定表現を与えるためのキャラクタ表現用データに基づいて処理を行い、
前記表現ステップの処理により前記ユーザに対して前記キャラクタから情報を提供する
ことを特徴とする情報提供方法。
【請求項３】
電気機器の表現部にキャラクタを表現させ、前記キャラクタを介してユーザに対して情報を提供する情報提供装置であって、
他の電気機器と接続して前記キャラクタを構成するキャラクタデータを送信、あるいは受信する接続手段と、
前記キャラクタデータを処理するキャラクタシステムとを有し、
前記キャラクタシステムは前記キャラクタに所定表現を与えるためのキャラクタ表現用データに基づいて処理を行い、
前記表現部によりユーザに対して前記キャラクタから情報を提供する
ことを特徴とする情報提供装置。
【請求項４】
前記電気機器の表現部は、前記キャラクタをユーザに対して視覚的に表示するための表示部または前記キャラクタの存在をユーザに対して聴覚的に認識させるための発音部を備える
ことを特徴とする請求項３に記載の情報提供装置。
【請求項５】
前記キャラクタは、前記表示部を利用することにより、他の画像データに重畳されて表示されるか、または、前記発音部を利用することにより、他の音声データに重畳されて発音される
ことを特徴とする請求項４に記載の情報提供装置。
【請求項６】
前記キャラクタ表現用データは、少なくともキャラクタの態様を決定するキャラクタルールデータと、ユーザプロフィルを含むユーザ属性情報と、ユーザに対して提供する提供情報とを含み、
前記キャラクタシステムは、キャラクタルール記憶部と、ユーザ属性情報記憶部と、提供情報記憶部とを有する
ことを特徴とする請求項３に記載の情報提供装置。
【請求項７】
前記キャラクタ表現用データは、ユーザの興味対象を示すキーワードをさらに含み、
前記キャラクタシステムは、さらにキーワード記憶部を有し、
前記キーワードに基づいて、テレビジョン放送を含むメディア情報から所望の情報を選択して前記キャラクタを介してユーザに提供し、
前記キャラクタからユーザへの情報提供は、前記ユーザの個別情報に基づいて作成されたキーワードにより検索した情報提供である
ことを特徴とする請求項６に記載の情報提供装置。
【請求項８】
前記ユーザ属性情報は、ユーザに対して前記キャラクタより提供された質問事項に対応して、前記ユーザから入力された回答に基づくデータを収集することにより得られる
ことを特徴とする請求項７に記載の情報提供装置。
【請求項９】
前記キーワードは、前記ユーザ属性情報から生成される
ことを特徴とする請求項８に記載の情報提供装置。
【請求項１０】
前記キャラクタ表現用データは、持ち運び可能な記憶媒体に前記キャラクタデータとともに記憶され、前記電気機器の１つから他の電気機器に対して前記記憶媒体を接続することにより出力可能である
ことを特徴とする請求項３に記載の情報提供装置。
【請求項１１】
互いに接続された複数の電気機器間でキャラクタデータを送受信する情報提供方法であって、
電気機器間を接続する接続手段を利用して他の電気機器とキャラクタデータを送受信し、
前記キャラクタデータを処理するキャラクタシステムにより、前記キャラクタに所定表現を与えるためのキャラクタ表現用データに基づいて処理を行い、
表現手段を利用して、前記キャラクタを介してユーザに情報を提供する
ことを特徴とする情報提供方法。
【請求項１２】
電気機器よりユーザ属性情報および前記ユーザ属性情報に基づいて検索される情報を収集する情報収集ステップと、
前記検索された情報に基づいて、キャラクタの表現態様を決定する表現態様決定ステップと、
前記決定された表現態様に基づいて表現されるキャラクタを介して、前記検索された情報をユーザに提供する情報提供ステップと
をコンピュータに実行させるためのプログラムを記憶したことを特徴とする記録媒体。
【請求項１３】
電気機器よりユーザ属性情報および前記ユーザ属性情報に基づいて検索される情報を収集する情報収集ステップと、
前記検索された情報に基づいて、キャラクタの表現態様を決定する表現態様決定ステップと、
前記決定された表現態様に基づいて表現されるキャラクタを介して、前記検索された情報をユーザに提供する情報提供ステップと
をコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は、情報提供システム、情報提供装置および情報提供方法、記録媒体、並びにプログラムに関し、特に、仮想生命体である電子ペット（以下「キャラクタ」と称する）をコミュニケーションツールとして使用し、複数の電気機器間における情報を収集して蓄積したり、蓄積された情報を出力したり、ユーザから固有の情報を引き出したり、ユーザ固有の情報に基づいてユーザへ有益情報を提供したり、他者との情報交換を可能とした情報提供システム、情報提供装置および情報提供方法、記録媒体、並びにプログラムに関する。
【手続補正４】
【補正対象書類名】明細書
【補正対象項目名】００１７
【補正方法】変更
【補正の内容】
【００１７】
本発明の情報提供方法は、複数の電気機器を接続し、電気機器間でキャラクタデータを送受信する情報提供システムの情報提供方法であって、各電気機器は、キャラクタデータを処理するキャラクタシステムと、キャラクタを利用してユーザに対して表現を示すための表現ステップと、電気機器間の接続を制御する接続制御ステップとを備え、キャラクタデータは接続制御ステップを利用して電気機器間を移動するように送受信され、キャラクタシステムは、キャラクタに所定表現を与えるためのキャラクタ表現用データに基づいて処理を行い、表現ステップの処理でユーザに対してキャラクタから情報を提供することを特徴とする。
【手続補正５】
【補正対象書類名】明細書
【補正対象項目名】００１８
【補正方法】変更
【補正の内容】
【００１８】
本発明の情報提供装置は、電気機器の表現部にキャラクタを表現させ、キャラクタを介してユーザに対して情報を提供する情報提供装置であって、他の電気機器と接続してキャラクタを構成するキャラクタデータを送信、あるいは受信する接続手段と、キャラクタデータを処理するキャラクタシステムとを有し、キャラクタシステムはキャラクタに所定表現を与えるためのキャラクタ表現用データに基づいて処理を行い、表現部によりユーザに対してキャラクタから情報を提供することを特徴とする。
【手続補正６】
【補正対象書類名】明細書
【補正対象項目名】００１９
【補正方法】変更
【補正の内容】
【００１９】
前記電気機器の表現部は、キャラクタをユーザに対して視覚的に表示するための表示部またはキャラクタの存在をユーザに対して聴覚的に認識させるための発音部を備えるようにすることができる。
【手続補正７】
【補正対象書類名】明細書
【補正対象項目名】００２０
【補正方法】変更
【補正の内容】
【００２０】
前記キャラクタは、表示部を利用することにより、他の画像データに重畳されて表示されるか、または、発音部を利用することにより、他の音声データに重畳されて発音されることができる。
【手続補正８】
【補正対象書類名】明細書
【補正対象項目名】００２１
【補正方法】変更
【補正の内容】
【００２１】
前記キャラクタ表現用データは、少なくともキャラクタの態様を決定するキャラクタルールデータと、ユーザプロフィルを含むユーザ属性情報と、ユーザに対して提供する提供情報とを含み、キャラクタシステムは、キャラクタルール記憶部と、ユーザ属性情報記憶部と、提供情報記憶部とを有することができる。
【手続補正９】
【補正対象書類名】明細書
【補正対象項目名】００２２
【補正方法】変更
【補正の内容】
【００２２】
前記キャラクタ表現用データは、ユーザの興味対象を示すキーワードをさらに含み、キャラクタシステムは、さらにキーワード記憶部を有し、キーワードに基づいて、テレビジョン放送を含むメディア情報から所望の情報を選択してキャラクタを介してユーザに提供し、キャラクタからユーザへの情報提供は、ユーザの個別情報に基づいて作成されたキーワードにより検索した情報提供であるようにすることができる。
【手続補正１０】
【補正対象書類名】明細書
【補正対象項目名】００２３
【補正方法】変更
【補正の内容】
【００２３】
前記ユーザ属性情報は、ユーザに対してキャラクタより提供された質問事項に
対応して、ユーザから入力された回答に基づくデータを収集することにより得ら
れるようにすることができる。
【手続補正１１】
【補正対象書類名】明細書
【補正対象項目名】００２４
【補正方法】変更
【補正の内容】
【００２４】
前記キーワードは、ユーザ属性情報から生成されるようにすることができる。
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】削除
【補正の内容】
【手続補正２１】
【補正対象書類名】明細書
【補正対象項目名】００３６
【補正方法】削除
【補正の内容】
【手続補正２２】
【補正対象書類名】明細書
【補正対象項目名】００３８
【補正方法】変更
【補正の内容】
【００３８】
本発明のプログラムは、電気機器よりユーザ属性情報およびユーザ属性情報に基づいて検索される情報を収集する情報収集ステップと、検索された情報に基づいて、キャラクタの表現態様を決定する表現態様決定ステップと、決定された表現態様に基づいて表現されるキャラクタを介して、検索された情報をユーザに提供する情報提供ステップとをコンピュータに実行させることを特徴とする。
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】削除
【補正の内容】
【手続補正２５】
【補正対象書類名】明細書
【補正対象項目名】００４１
【補正方法】変更
【補正の内容】
【００４１】
本発明の情報提供システムおよび方法においては、キャラクタデータが接続手段を利用して電気機器間を移動するように送受信され、キャラクタシステムは、キャラクタに所定表現を与えるためのキャラクタ表現用データに基づいて処理を行い、表現手段によりユーザに対してキャラクタから情報が提供される。
【手続補正２６】
【補正対象書類名】明細書
【補正対象項目名】００４３
【補正方法】変更
【補正の内容】
【００４３】
本発明の記録媒体および記録媒体に記録されているプログラムにおいては、ユーザ属性情報およびユーザ属性情報に基づいて検索される情報が収集され、検索された情報に基づいてキャラクタの表現態様が決定され、決定された表現態様に基づいて表現されるキャラクタを介して、検索された情報がユーザに提供される。
【手続補正２７】
【補正対象書類名】明細書
【補正対象項目名】０２４６
【補正方法】変更
【補正の内容】
【０２４６】
【発明の効果】
以上の如く、本発明の情報提供システムおよび方法によれば、キャラクタデータを接続手段を利用して電気機器間を移動するように送受信し、キャラクタシステムから、表現手段によりユーザに対して情報を提供するようにしたので、電気機器の操作の楽しさを倍増した情報提供システムを実現することが可能となる。